(57)【要約】【課題】優れた低弾性、透湿性及び耐水溶出性を有するセルロースエステル組成物、前記セルロースエステル組成物を成形して得られる成形体、及びフィルムを提供する。【解決手段】セルロースエステル（Ａ）と数平均分子量８００未満のエステルオリゴマー（Ｂ）とを含有するセルロースエステル組成物であって、前記エステルオリゴマー（Ｂ）が、ジエチレングリコールモノアルキルエーテル、トリエチレングリコールモノアルキルエーテル及びポリエチレングリコールモノアルキルエーテルからなる群より選ばれる少なくとも１種の化合物と、ラクトン化合物との反応物であることを特徴とするセルロースエステル組成物を用いる。【選択図】なし【特許請求の範囲】
【請求項１】
セルロースエステル（Ａ）と数平均分子量８００未満のエステルオリゴマー（Ｂ）とを含有するセルロースエステル組成物であって、
前記エステルオリゴマー（Ｂ）が、ジエチレングリコールモノアルキルエーテル、トリエチレングリコールモノアルキルエーテル及びポリエチレングリコールモノアルキルエーテルからなる群より選ばれる少なくとも１種の化合物と、ラクトン化合物との反応物であることを特徴とするセルロースエステル組成物。
【請求項２】
前記エステルオリゴマー（Ｂ）が、ジエチレングリコールモノアルキルエーテル、トリエチレングリコールモノアルキルエーテル及びポリエチレングリコールモノアルキルエーテルからなる群より選ばれる少なくとも１種の化合物と、ラクトン化合物と、モノカルボン酸との反応物である請求項１記載のセルロースエステル組成物。
【請求項３】
前記ジエチレングリコールモノアルキルエーテルが、ジエチレングリコールモノメチルエーテル、ジエチレングリコールモノエチルエーテル、ジエチレングリコールモノブチルエーテル及びジエチレングリコールモノイソプロピルエーテルからなる群より選ばれる少なくとも１種のジエチレングリコールモノアルキルエーテルである請求項１または２記載のセルロースエステル組成物。
【請求項４】
前記トリエチレングリコールモノアルキルエーテルが、トリエチレングリコールモノメチルエーテル、トリエチレングリコールモノエチルエーテル、トリエチレングリコールモノブチルエーテル及びトリエチレングリコールモノイソプロピルエーテルからなる群より選ばれる少なくとも１種のトリエチレングリコールモノアルキルエーテルである請求項１〜３のいずれか１項記載のセルロースエステル組成物。
【請求項５】
前記ラクトン化合物が、ε−カプロラクトンである請求項１〜４のいずれか１項記載のセルロースエステル組成物。
【請求項６】
前記セルロースエステル（Ａ）１００質量部に対して前記エステルオリゴマー（Ｂ）を１０質量部以上含有する請求項１〜５のいずれか１項記載のセルロースエステル組成物。
【請求項７】
請求項１〜６のいずれか１項記載のセルロースエステル組成物からなることを特徴とする成形体。
【請求項８】
請求項７記載の成形体からなることを特徴とするフィルム。
【発明の詳細な説明】
【技術分野】
【０００１】
本発明は、セルロースエステル組成物、成形体及びフィルムに関する。
【背景技術】
【０００２】
セルロースエステル組成物から得られるフィルムは、透明性が高いこと、固有複屈折が小さいこと、光学的等方性が良好なことから、写真や映画のフィルムなどに古くから用いられており、最近では液晶表示装置の光学部材や、農業ハウス用のフィルムとして需要が拡大している。
【０００３】
セルロースエステルのフィルムには衝撃強度、引裂強度、耐折強度を高めるために可塑剤を配合するのが一般的である。例えば、特許文献１では、可塑剤としてアジピン酸エステルを用いることが提案されている。しかしながら、従来の可塑剤は、柔軟性を付与できるものの透湿性の低下を招いたり、柔軟性と透湿性を両立するものの水への溶出が大きくその使用適用範囲は限られているなどの問題があった。
【０００４】
そこで、優れた柔軟性、透湿性、及び耐水溶出性を両立したフィルムを形成可能なセルロースエステル組成物が求められていた。
【先行技術文献】
【特許文献】
【０００５】
【特許文献１】国際公開第２０１４／０６１６４４号
【発明の概要】
【発明が解決しようとする課題】
【０００６】
本発明が解決しようとする課題は、優れた低弾性、透湿性及び耐水溶出性を有するセルロースエステル組成物、前記セルロースエステル組成物を成形して得られる成形体、及びフィルムを提供することである。
【課題を解決するための手段】
【０００７】
本発明者は、上記の課題を解決すべく鋭意研究した結果、セルロースエステルと特定のエステルオリゴマーを含有するセルロースエステル組成物を用いることによって、上記課題を解決できることを見出し、本発明を完成させた。
【０００８】
すなわち、本発明は、セルロースエステル（Ａ）と数平均分子量８００未満のエステルオリゴマー（Ｂ）とを含有するセルロースエステル組成物であって、前記エステルオリゴマー（Ｂ）が、ジエチレングリコールモノアルキルエーテル、トリエチレングリコールモノアルキルエーテル及びポリエチレングリコールモノアルキルエーテルからなる群より選ばれる少なくとも１種の化合物と、ラクトン化合物との反応物であることを特徴とするセルロースエステル組成物に関するものである。
【発明の効果】
【０００９】
本発明のセルロースエステル組成物は、優れた柔軟性、透湿性及び耐水溶出性を有することから、例えば、結露防止フィルム、防曇フィルム等のフィルムなどの用途に好適に用いることができる。
【発明を実施するための形態】
【００１０】
本発明のセルロースエステル組成物は、セルロースエステル（Ａ）と数平均分子量８００未満のエステルオリゴマー（Ｂ）とを含有するセルロースエステル組成物であって、前記エステルオリゴマー（Ｂ）が、ジエチレングリコールモノアルキルエーテル、トリエチレングリコールモノアルキルエーテル及びポリエチレングリコールモノアルキルエーテルからなる群より選ばれる少なくとも１種の化合物と、ラクトン化合物との反応物であることを特徴とする。
【００１１】
前記セルロースエステル（Ａ）としては、例えば、セルロースアセテート（ＣＡ）、セルロースジアセテート（ＤＡＣ）、セルローストリアセテート（ＴＡＣ）、セルロースアセテートプロピオネート（ＣＡＰ）、セルロースアセテートブチレート（ＣＡＢ）、セルロースアセテートフタレート（ＣＡＴ）、ポリカプロラクトングラフト化セルロースアセテート等が挙げられる。これらの中でも、機械的特性（引張強度、曲げ強度、曲げ弾性等）が良好なことから、好ましくは、セルロースアセテート、セルロースジアセテート、セルローストリアセテート等のアセチル化されたセルロース類が好ましく、セルロースジアセテート、セルローストリアセテート等のアセチル化されたセルロース類がより好ましい。また、これらのセルロースアセテートは、単独で用いることも２種以上を併用することもできる。
【００１２】
前記セルロースエステル（Ａ）が、アセチル化されたセルロース類の場合には、その平均アセチル置換度としては、機械的特性（引張強度、曲げ強度、曲げ弾性等）が良好なことから、２．３〜３．０の範囲が好ましく、２．４〜２．９の範囲がより好ましい。
【００１３】
なお、本発明でいう「平均アセチル置換度」とは、ＡＳＴＭ−Ｄ−８１７−９１（セルロースアセテートなどの試験方法）に準じて測定した値である。
【００１４】
また、前記セルロースエステル（Ａ）の平均重合度としては、より優れた機械的特性（引張強度、曲げ強度、曲げ弾性等）及び耐熱性を発現できることから、１５０〜４００の範囲が好ましく、２００〜３５０の範囲がより好ましい。
【００１５】
なお、本発明でいう「平均重合度」とは、宇田らの極限粘度法（宇田和夫、斉藤秀夫、「繊維学会誌」、第１８巻第１号、１０５〜１２０頁、１９６２年）に準拠して測定できる。具体的には、絶乾したセルロースエステル（Ａ）０．２ｇを精秤し、メチレンクロライド：エタノール＝９：１（質量比）の混合溶媒１００ｍｌに溶解し、この溶液をオストワルド粘度計にて恒温水槽温度２５℃で落下秒数を測定して、平均重合度を以下の〔式１〕により算出する。
【００１６】
平均重合度＝［η］／Ｋｍ・・・〔式１〕
【００１７】
［η］＝（ｌｎηｒｅｌ）／Ｃ
ηｒｅｌ＝Ｔ／Ｔ０
Ｋｍ＝６×１０−４
Ｔ：測定サンプルの落下時間（秒）
Ｔ０：溶剤の落下時間（秒）
Ｃ：サンプルの濃度（ｇ／ｌ）
【００１８】
前記セルロースエステル（Ａ）は、市販品を用いてもよく、前記セルロースエステル（Ａ）として用いることができる市販品としては、例えば、株式会社ダイセル製「Ｌ−２０」（平均アセチル置換度２．４１、平均重合度１４５）、「Ｌ−３０」（平均アセチル置換度２．４１、平均重合度１６０）、「Ｌ−５０」（平均アセチル置換度２．４１、平均重合度１８０）、「Ｌ−７０」（平均アセチル置換度２．４１、平均重合度１９０）等のセルロースジアセテート、株式会社ダイセル製「ＬＴ−３５」（平均アセチル置換度２．８７、平均重合度２７０）、「ＬＴ−１０５」（平均アセチル置換度２．８７、平均重合度３５０）等のセルローストリアセテートなどが挙げられる。これらは単独で用いることも２種以上を併用することもできる。
【００１９】
また、前記セルロースエステル（Ａ）は、前記市販品を用いることができるほか、合成したものを用いることもできる。前記セルロースエステル（Ａ）の合成方法は、公知の方法により合成することができ、その合成方法は特に限定しない。
【００２０】
前記セルロースエステル（Ａ）の合成方法としては、例えば、木材パルプ（例えば、針葉樹パルプ、広葉樹パルプ等）、コットンリンター等のセルロース分子内のグルコース残基の２位、３位、６位の水酸基を全て、若しくはその一部の水酸基をエステル化して合成することができる。
【００２１】
前記セルロースエステル（Ａ）として、アセチル化されたセルロースを得る場合には、セルロースを所定量のアセチル化剤と反応させる公知のエステル化により生成でき、必要に応じて熟成工程・沈殿工程・精製工程・乾燥工程などを経て合成することができる。
【００２２】
例えば、（１）パルプ（セルロース）を解砕後、酢酸を主とするモノカルボン酸の散布混合により前処理活性化した後、無水酢酸を主とするモノカルボン酸無水物を硫酸などのエステル化触媒を用いてセルローストリアセテートを調製するエステル化工程、次いで、（２）得られたセルローストリアセテートを加水分解により所望のアシル置換度に調整する熟成工程、更に、（３）得られたセルロースアセチル化物より、濾過、沈殿分離、水洗、脱水、乾燥する後処理工程、などの一連の工程を経ることにより合成できる。
【００２３】
前記エステル化触媒の種類、使用量、反応温度、熟成温度などの諸条件は、特に限定しない。また、前記エステル化触媒としては、例えば、硫酸などの酸を使用した場合には、残留した酸を中和するためにモノカルボン酸金属塩などの塩基で生成物を処理してもよく、中和に用いる塩基の種類は、特に限定しない。
【００２４】
前記数平均分子量８００未満のエステルオリゴマー（Ｂ）としては、ジエチレングリコールモノアルキルエーテル、トリエチレングリコールモノアルキルエーテル及びポリエチレングリコールモノアルキルエーテルからなる群より選ばれる少なくとも１種の化合物と、ラクトン化合物との反応物を用いる。
【００２５】
なお、前記エステルオリゴマー（Ｂ）の数平均分子量は、ゲル・パーミエーション・クロマトグラフィー（ＧＰＣ）法により、下記の条件で測定した値を示す。
【００２６】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００２７】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００２８】
前記ジエチレングリコールモノアルキルエーテルとしては、例えば、ジエチレングリコールモノメチルエーテル、ジエチレングリコールモノエチルエーテル、ジエチレングリコールモノノルマルプロピルエーテル、ジエチレングリコールモノイソプロピルエーテル、ジエチレングリコールモノノルマルブチルエーテル、ジエチレングリコールモノイソブチルエーテル、ジエチレングリコールモノセカンダリーブチルエーテル、ジエチレングリコールモノターシャリーブチルエーテル等が挙げられる。これらの中でも柔軟性、透湿性及び耐水溶出性に優れたセルロースエステル組成物を得られることから、ジエチレングリコールモノメチルエーテルが好ましい。また、これらのジエチレングリコールモノアルキルエーテルは、単独で用いることも２種以上を併用することもできる。
【００２９】
前記トリエチレングリコールモノアルキルエーテルとしては、例えば、トリエチレングリコールモノメチルエーテル、トリエチレングリコールモノエチルエーテル、トリエチレングリコールモノノルマルプロピルエーテル、トリエチレングリコールモノイソプロピルエーテル、トリエチレングリコールモノノルマルブチルエーテル、トリエチレングリコールモノイソブチルエーテル、トリエチレングリコールモノセカンダリーブチルエーテル、トリエチレングリコールモノターシャリーブチルエーテル等が挙げられる。これらの中でも柔軟性、透湿性及び耐水溶出性に優れたセルロースエステル組成物を得られることから、トリエチレングリコールモノメチルエーテルが好ましい。また、これらのトリエチレングリコールモノアルキルエーテルは、単独で用いることも２種以上を併用することもできる。
【００３０】
前記ポリエチレングリコールモノアルキルエーテルとしては、例えば、ポリエチレングリコールモノメチルエーテル、ポリエチレングリコールモノエチルエーテル、ポリエチレングリコールモノノルマルプロピルエーテル、ポリエチレングリコールモノイソプロピルエーテル、ポリエチレングリコールモノノルマルブチルエーテル、ポリエチレングリコールモノイソブチルエーテル、ポリエチレングリコールモノセカンダリーブチルエーテル、ポリエチレングリコールモノターシャリーブチルエーテル等が挙げられる。
【００３１】
前記ラクトン化合物としては、例えば、γ−ブチロラクトン、δ−バレロラクトン、ε−カプロラクトン、γ−クロトノラクトン等が挙げられる。これらの中でも柔軟性、透湿性及び耐水溶出性に優れたセルロースエステル組成物を得られることから、ε−カプロラクトンが好ましい。これらのラクトン化合物は、単独で用いることも２種以上を併用することもできる。
【００３２】
前記エステルオリゴマー（Ｂ）としては、さらに、モノカルボン酸を含有することができる。
【００３３】
前記モノカルボン酸としては、例えば、酢酸、プロパン酸、ブタン酸、ペンタン酸、ヘキサン酸、シクロヘキサン酸、ヘプタン酸、オクタン酸、２−エチルヘキシル酸、ノナン酸、デカン酸、ネオデカン酸、ドデカン酸、ミリスチン酸等の脂肪族モノカルボン酸、並びに前記脂肪族モノカルボン酸のメチルエステル、酸塩化物及び酸無水物や、安息香酸、ジメチル安息香酸、トリメチル安息香酸、テトラメチル安息香酸、エチル安息香酸、プロピル安息香酸、ブチル安息香酸、クミン酸、パラターシャリブチル安息香酸、オルソトルイル酸、メタトルイル酸、パラトルイル酸、エトキシ安息香酸、プロポキシ安息香酸、ナフトエ酸、ニコチン酸、フロ酸、アニス酸等の芳香族モノカルボン酸、並びに前記芳香族モノカルボン酸のメチルエステル、酸塩化物及び酸無水物などが挙げられる。これらの中でも柔軟性、透湿性及び耐水溶出性に優れたセルロースエステル組成物を得られることから、安息香酸またはシクロヘキサン酸が好ましい。また、これらのモノカルボン酸は、単独で用いることも２種以上を併用することもできる。
【００３４】
前記エステルオリゴマー（Ｂ）は、柔軟性、透湿性及び耐水溶出性に優れたセルロースエステル組成物を得られることから、前記セルロースエステル（Ａ）１００質量部に対して、１０質量部以上であることが好ましく、３０質量部以上であることがより好ましい。
【００３５】
本発明のセルロースエステル組成物の製造方法としては、例えば、前記セルロースエステル（Ａ）と前記エステルオリゴマー（Ｂ）とメチレンクロライドとメタノールを混合して得ることができる。
【００３６】
本発明の成形体は、優れた低弾性、透湿性及び耐水溶出性を有することから、例えば、結露防止フィルム、防曇フィルム等のフィルムなどに好適に用いることができる。また、本発明の成形体は、優れた低弾性及び耐水溶出性を有することから、例えば、筐体等にも用いることができる。
【００３７】
本発明のフィルムは、当該フィルムの少なくとも１面に、本発明のセルロースエステル組成物を塗工し、乾燥させることで得られたものである。フィルムに本発明のセルロースエステル組成物を塗工する方法としては、例えば、ダイコート、マイクログラビアコート、グラビアコート、ロールコート、コンマコート、エアナイフコート、キスコート、スプレーコート、ディップコート、スピンナーコート、刷毛塗り、シルクスクリーンによるベタコート、ワイヤーバーコート、フローコート等が挙げられる。
【実施例】
【００３８】
以下、実施例と比較例とにより、本発明を具体的に説明する。
【００３９】
（合成例１：エステルオリゴマー（１）の合成）
ジエチレングリコールモノメチルエーテル３３７質量部とε−カプロラクトン３２０質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、安息香酸３４３質量部を添加し、２２０℃で２４時間反応させた。次いで、１７０℃で２時間減圧し未反応物を除去し、エステルオリゴマー（１）を得た。
【００４０】
（合成例２：エステルオリゴマー（２）の合成）
トリエチレングリコールモノメチルエーテル４２２質量部とε−カプロラクトン２７９質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、安息香酸２９９質量部を添加し、２２０℃で２４時間反応させた。次いで、１７０℃で２時間減圧し未反応物を除去し、エステルオリゴマー（２）を得た。
【００４１】
（合成例３：エステルオリゴマー（３）の合成）
ジエチレングリコールモノイソプロピルエーテル３８７質量部とε−カプロラクトン２９８質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、安息香酸３１４質量部を添加し、２２０℃で２４時間反応させた。次いで、１７０℃で２時間減圧し未反応物を除去し、エステルオリゴマー（３）を得た。
【００４２】
（合成例４：エステルオリゴマー（４）の合成）
ジエチレングリコールモノブチルエーテル４０７質量部とε−カプロラクトン２８６質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで安息香酸３０６質量部を添加し、２２０℃で２４時間反応させた。次いで、１７０℃で２時間減圧し未反応物を除去し、エステルオリゴマー（４）を得た。
【００４３】
（合成例５：エステルオリゴマー（５）の合成）
ジエチレングリコールモノメチルエーテル３４２質量部とε−カプロラクトン３１０質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、シクロヘキサンカルボン酸３４９質量部を添加し、２２０℃で２４時間反応させた。次いで、１７０℃で２時間減圧し未反応物を除去し、エステルオリゴマー（５）を得た。
【００４４】
（合成例６：エステルオリゴマー（６）の合成）
ポリエチレングリコールモノメチルエーテル（日油株式会社製「ＰＥＧ＃２００」）５３３質量部とε−カプロラクトン３０４質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで安息香酸１６２質量部を添加し、２２０℃で２４時間反応させた。次いで、１７０℃で２時間減圧し未反応物を除去し、エステルオリゴマー（６）を得た。
【００４５】
（合成例７：エステルオリゴマー（７）の合成）
ジエチレングリコールモノメチルエーテル２７４質量部とε−カプロラクトン４７３質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、１７０℃で２時間減圧し未反応物を除去し、エステルオリゴマー（７）を得た。
【００４６】
（合成例８：エステルオリゴマー（８）の合成）
ジエチレングリコールモノメチルエーテル２９７質量部とε−カプロラクトン２８２質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、デカン酸４２１質量部を添加し、２２０℃で２４時間反応させた。次いで、１７０℃で２時間減圧し未反応物を除去し、エステルオリゴマー（８）を得た。
【００４７】
（合成例９：エステルオリゴマー（９）の合成）
ジエチレングリコールモノメチルエーテル２７６質量部とε−カプロラクトン２６３質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、ドデカン酸４６１質量部を添加し、２２０℃で２４時間反応させた。次いで、１７０℃で２時間減圧し未反応物を除去し、エステルオリゴマー（９）を得た。
【００４８】
（合成例１０：エステルオリゴマー（１０）の合成）
ジエチレングリコールモノメチルエーテル２６０質量部とε−カプロラクトン２４７質量部を温度計、攪拌機、不活性ガス導入口および還流冷却器を備えた四口フラスコに仕込み、エステル化触媒としてテトライソプロピルチタネートを０．０１重量％添加し、１８０℃で４時間反応させた。次いで、ミリスチン酸４９４質量部を添加し、２２０℃で２４時間反応させた。次いで、１７０℃で２時間減圧し未反応物を除去し、エステルオリゴマー（１０）を得た。
【００４９】
（比較合成例１：エステルオリゴマー（１１）の合成）
ジエチレングリコールモノメチルエーテル６４４質量部とアジピン酸３５６質量部を温度計、攪拌機、不活性ガス導入口および還流冷却器を備えた四口フラスコに仕込み、エステル化触媒としてテトライソプロピルチタネートを０．０１重量％添加し、２２０℃で２４時間反応させ。次いで、１７０℃で２時間減圧し未反応物を除去し、エステルオリゴマー（１１）を得た。
【００５０】
（比較合成例２：エステルオリゴマー（１２）の合成）
ジエチレングリコールモノメチルエーテル３２１質量部とベンジルアルコール２８９質量部とアジピン酸３９０質量部を温度計、攪拌機、不活性ガス導入口および還流冷却器を備えた四口フラスコに仕込み、エステル化触媒としてテトライソプロピルチタネートを０．０１重量％添加し、２２０℃で２４時間反応させ。次いで、１７０℃で２時間減圧し未反応物を除去し、エステルオリゴマー（１２）を得た。
【００５１】
（実施例１：セルロースエステル組成物（Ｉ−１）の調製）
セルロースエステル（株式会社ダイセル製「ＬＴ−３５」）１００質量部と合成例１で得たエステルオリゴマー（１）６５質量部をメチレンクロライド／メタノール（９／１）の混合溶剤で不揮発分が１０質量％となるように溶解し、セルロースエステル組成物（Ｉ−１）を調製した。
【００５２】
（実施例２：セルロースエステル組成物（Ｉ−２）の調製）
セルロースエステル（株式会社ダイセル製「ＬＴ−３５」）１００質量部と合成例１で得たエステルオリゴマー（１）５５質量部をメチレンクロライド／メタノール（９／１）の混合溶剤で不揮発分が１０質量％となるように溶解し、セルロースエステル組成物（Ｉ−２）を調製した。
【００５３】
（実施例３：セルロースエステル組成物（Ｉ−３）の調製）
セルロースエステル（株式会社ダイセル製「ＬＴ−３５」）１００質量部と合成例１で得たエステルオリゴマー（１）３０質量部と合成例２で得たエステルオリゴマー（２）１５質量部をメチレンクロライド／メタノール（９／１）の混合溶剤で不揮発分が１０質量％となるように溶解し、セルロースエステル組成物（Ｉ−３）を調製した。
【００５４】
（実施例４：セルロースエステル組成物（Ｉ−４）の調製）
セルロースエステル（株式会社ダイセル製「ＬＴ−３５」）１００質量部と合成例２で得たエステルオリゴマー（２）４５質量部をメチレンクロライド／メタノール（９／１）の混合溶剤で不揮発分が１０質量％となるように溶解し、セルロースエステル組成物（Ｉ−４）を調製した。
【００５５】
（実施例５：セルロースエステル組成物（Ｉ−５）の調製）
エステルオリゴマー（１）の代わりに、合成例３で得たエステルオリゴマー（３）を用いた以外は実施例２と同様の操作を行い、セルロースエステル組成物（Ｉ−５）を調製した。
【００５６】
（実施例６：セルロースエステル組成物（Ｉ−６）の調製）
エステルオリゴマー（２）の代わりに、合成例４で得たエステルオリゴマー（４）を用いた以外は実施例４と同様の操作を行い、セルロースエステル組成物（Ｉ−６）を調製した。
【００５７】
（実施例７：セルロースエステル組成物（Ｉ−７）の調製）
エステルオリゴマー（１）の代わりに、合成例５で得たエステルオリゴマー（５）を用いた以外は実施例２と同様の操作を行い、セルロースエステル組成物（Ｉ−７）を調製した。
【００５８】
（実施例８：セルロースエステル組成物（Ｉ−８）の調製）
セルロースエステル（株式会社ダイセル製「ＬＴ−３５」）１００質量部と合成例６で得たエステルオリゴマー（６）３０質量部をメチレンクロライド／メタノール（９／１）の混合溶剤で不揮発分が１０質量％となるように溶解し、セルロースエステル組成物（Ｉ−８）を調製した。
【００５９】
（実施例９：セルロースエステル組成物（Ｉ−９）の調製）
エステルオリゴマー（１）の代わりに、合成例７で得たエステルオリゴマー（７）を用いた以外は実施例８と同様の操作を行い、セルロースエステル組成物（Ｉ−９）を調製した。
【００６０】
（実施例１０：セルロースエステル組成物（Ｉ−１０）の調製）
セルロースエステル（株式会社ダイセル製「ＬＴ−３５」）１００質量部と合成例１で得たエステルオリゴマー（１）９質量部をメチレンクロライド／メタノール（９／１）の混合溶剤で不揮発分が１０質量％となるように溶解しセルロースエステル組成物（Ｉ−１０）を調製した。
【００６１】
（実施例１１：セルロースエステル組成物（Ｉ−１１）の調製）
セルロースエステル（株式会社ダイセル製「ＬＴ−３５」）１００質量部と合成例８で得たエステルオリゴマー（８）６０質量部をメチレンクロライド／メタノール（９／１）の混合溶剤で不揮発分が１０質量％となるように溶解しセルロースエステル組成物（Ｉ−１１）を調製した。
【００６２】
（実施例１２：セルロースエステル組成物（Ｉ−１２）の調製）
セルロースエステル（株式会社ダイセル製「ＬＴ−３５」）１００質量部と合成例９で得たエステルオリゴマー（９）４５質量部をメチレンクロライド／メタノール（９／１）の混合溶剤で不揮発分が１０質量％となるように溶解しセルロースエステル組成物（Ｉ−１２）を調製した。
【００６３】
（実施例１３：セルロースエステル組成物（Ｉ−１３）の調製）
セルロースエステル（株式会社ダイセル製「ＬＴ−３５」）１００質量部と合成例１０で得たエステルオリゴマー（１０）３５質量部をメチレンクロライド／メタノール（９／１）の混合溶剤で不揮発分が１０質量％となるように溶解しセルロースエステル組成物（Ｉ−１３）を調製した。
【００６４】
（比較例１：セルロースエステル組成物（Ｉ’−１）の調製）
セルロースエステル（株式会社ダイセル製「ＬＴ−３５」）１００質量部をメチレンクロライド／メタノール（９／１）の混合溶剤で不揮発分が１０質量％となるように溶解し、セルロースエステル組成物（Ｉ’−１）を調製した。
【００６５】
（比較例２：セルロースエステル組成物（Ｉ’−２）の調製）
エステルオリゴマー（１）の代わりに、比較合成例１で得たエステルオリゴマー（１１）を用いた以外は実施例１と同様の操作を行い、セルロースエステル組成物（Ｉ’−２）を調製した。
【００６６】
（比較例３：セルロースエステル組成物（Ｉ’−３）の調製）
エステルオリゴマー（２）の代わりに、比較合成例１で得たエステルオリゴマー（１１）を用いた以外は実施例４と同様の操作を行い、セルロースエステル組成物（Ｉ’−３）を調製した。
【００６７】
（比較例４：セルロースエステル組成物（Ｉ’−４）の調製）
エステルオリゴマー（１）の代わりに、比較合成例２で得たエステルオリゴマー（１２）を用いた以外は実施例１と同様の操作を行い、セルロースエステル組成物（Ｉ’−４）を調製した。
【００６８】
（比較例５：セルロースエステル組成物（Ｉ’−５）の調製）
エステルオリゴマー（２）の代わりに、ポリエステルポリオール（ＤＩＣ株式会社製「ＯＤ−Ｘ−１０２」）を用いた以外は実施例４と同様の操作を行い、セルロースエステル組成物（Ｉ’−５）を調製した。
【００６９】
実施例１〜１３で得たセルロースエステル組成物の組成を表１に示す。
【００７０】
【表１】
2018131600.tif 000002
【００７１】
比較例１〜５で得たセルロースエステル組成物の組成を表２に示す。
【００７２】
【表２】
2018131600.tif 000003
【００７３】
（実施例１４：フィルム（１）の作製）
実施例１で得たセルロースエステル組成物（Ｉ−１）をガラス板上にアプリケーターで塗布したのち、室温で２時間乾燥させ、厚さ６０ミクロンのフィルムを得た。得られたフィルムを、５０℃で３０分、１２０℃で３０分乾燥させフィルム（１）を得た。
【００７４】
（実施例１５〜２６：フィルム（２）〜（１３）の作製）
実施例１４で用いたセルロース組成物（Ｉ−１）に代えて、実施例２〜１３で得たセルロースエステル組成物（Ｉ−２）〜（Ｉ−１３）を用いた以外は、実施例１４と同様に行い、フィルム（２）〜（１３）を得た。
【００７５】
（比較例６：フィルム（Ｃ１）の作製）
比較例１で得たセルロースエステル組成物（Ｉ’−１）をガラス板上にアプリケーターで塗布したのち、室温で２時間乾燥させ、厚さ６０ミクロンのフィルムを得た。得られたフィルムを、５０℃で３０分、１２０℃で３０分乾燥させフィルム（Ｃ１）を得た。
【００７６】
（比較例７〜１０：フィルム（Ｃ２）〜（Ｃ５）の作製）
比較例６で用いたセルロースエステル組成物（Ｉ’−１）に代えて、比較例２〜５で得たセルロースエステル組成物（Ｉ’−２）〜（Ｉ’−５）を用いた以外は、比較例６と同様に行い、フィルム（Ｃ２）〜（Ｃ５）を得た。
【００７７】
上記の実施例及び比較例で得られたフィルム成形物を用いて、下記の評価を行った。
【００７８】
［柔軟性の評価方法］
上記の実施例及び比較例で得られたフィルム成形物を試験体とし、ＪＩＳ−Ｋ−７１２７に規定の測定法にて引張弾性率を測定し、以下のように評価した。
◎：引張弾性率が２．０ＧＰａ未満
○：引張弾性率が２．０ＧＰａ以上３．０ＧＰａ未満
△：引張弾性率が３．０ＧＰａ以上３．５ＧＰａ未満
×：引張弾性率が３．５ＧＰa以上
【００７９】
［透湿性の評価方法］
上記の実施例及び比較例で得られたフィルム成形物を試験体とし、ＪＩＳ  Ｌ−１０９９  Ａ−１法に規定の測定方法にて透湿度を測定し、以下のように評価した。
◎：１０００［ｇ／ｍ２−２４ｈ］以上
○：８５０［ｇ／ｍ２−２４ｈ］以上１０００［ｇ／ｍ２−２４ｈ］未満
△：７００［ｇ／ｍ２−２４ｈ］以上８５０［ｇ／ｍ２−２４ｈ］未満
×：７００［ｇ／ｍ２−２４ｈ］未満
【００８０】
［耐水溶出性の評価方法］
上記の実施例及び比較例で得られたフィルム成形物を２×２ｃｍに切り出して試験体とした。前記試験体を２５℃×２４時間水中浸漬させたのち、乾燥させ重量増加率を測定し、以下のように評価した。
◎：５％未満
○：５％以上７％未満
△：７％以上１０％未満
×：１０％以上
【００８１】
実施例１４〜２６で得られたフィルム成形物（１）〜（１３）の評価結果を表３に示す。
【００８２】
【表３】
2018131600.tif 000004
【００８３】
比較例６〜１０で得られたフィルム成形物（Ｃ１）〜（Ｃ５）の評価結果を表４に示す。
【００８４】
【表４】
2018131600.tif 000005
【００８５】
表３に示した評価結果から、本発明のセルロースエステル組成物を用いて形成されたフィルムは、優れた柔軟性、透湿性及び耐水溶出性を有し、それぞれの性能を両立できていることが確認できた。
【００８６】
一方、表４に示した評価結果から、比較例６は、本発明のエステルオリゴマー（Ｂ）を用いない例であるが、透湿性及び耐水溶出性には優れるものの、柔軟性を著しく欠いておりフィルムの総合的な性能として不十分であることが確認できた。
【００８７】
比較例７〜９は、本発明のエステルオリゴマー（Ｂ）として、ラクトン化合物を含有しない例であるが、柔軟性及び透湿性には優れるものの、耐水溶出性を著しく欠いておりフィルムの総合的な性能として不十分であることが確認できた。
【００８８】
比較例１０は、本発明のエステルオリゴマー（Ｂ）の代わりに、ポリエステルポリオールを用いた例であるが、耐水溶出性には優れるものの、透湿性を著しく欠いておりフィルムの総合的な性能として不十分であることが確認できた。